(57)【要約】      （修正有）【課題】２本の平行に配置されたガイド軸に沿って摺動する光ピックアップであって、基板に取り付けられる平型ケーブルの浮き上がりを押えると共に、衝撃、振動等によって発生する前記ガイド軸に対するずれを抑制できる光ピックアップを提供する。【解決手段】ピックアップベース２と、主軸Ｍｓと外嵌する軸受け部２１と反対側に開放した凹部を有し副軸Ｓｓと係合した係合部２２と、平型配線１３とを備え、平型配線１３をピックアップベース２に押さえつける板状の押え部４１と、副軸Ｓｓを押すばね部と、押え部４１及びばね部とを連結する保持部とを有する押圧部材４を備え、保持部の押え部４１と連結する部分には、ばね部との間にスリット４３が形成されている。【選択図】図２
2011233184.tif 000002
【特許請求の範囲】
【請求項１】
平行に配置された主軸及び副軸に摺動可能に支持された光ピックアップであって、
ピックアップベースと、
前記ピックアップベースの表面に形成され前記主軸と外嵌する軸受け部と反対側に開放した凹部を有し前記副軸と係合した係合部と、
前記ピックアップベースの表面に配置された平型配線とを備えた光ピックアップにおいて、
前記平型配線を前記ピックアップベースに押さえつける板状の押え部と、弾性力で前記副軸を押すばね部と、前記押え部及び前記ばね部とを連結する保持部とを有する押圧部材を備えており、
前記保持部の前記押え部と連結する部分には、前記ばね部との間にスリットが形成されていることを特徴とする光ピックアップ。
【請求項２】
前記スリットは前記保持部の前記押え部と連結する部分が前記ばね部と連結する部分に重ならないように形成されている請求項１に記載の光ピックアップ。
【請求項３】
前記押え部は前記保持部と前記保持部の長手方向一方の端部に寄せた部分で連結されており、
前記ばね部は前記保持部と前記保持部の長手方向他方の端部に寄せた部分で連結されている請求項１又は請求項２に記載の光ピックアップ。
【請求項４】
前記保持部は長方形状の平板部と、前記平板部と長辺で連結され前記平板部と交差する立設部とを備えており、
前記押え部は前記平板部と、前記ばね部は前記立設部とそれぞれ連結されている請求項１から請求項３のいずれかに記載の光ピックアップ。
【請求項５】
前記ピックアップベースは、前記平型配線が配置される面より突出した掛止部を備え、
前記掛止部には側部に凹部が形成されており、
前記押え部の辺縁部は、前記掛止部の凹部に引掛けることができる引掛け部を備えている請求項１から請求項４のいずれかに記載の光ピックアップ。
【請求項６】
前記平型配線はフレキシブルフラットケーブルである請求項１から請求項５のいずれかに記載の光ピックアップ。
【発明の詳細な説明】
【技術分野】
【０００１】
本発明は、光記録媒体に記録された情報の読み取りや、情報を記録するために使用される光ピックアップに関するものである。
【背景技術】
【０００２】
光ディスク装置は、ターンテーブル上に載置され、回転されている光ディスクに光ピックアップからの光を照射し、情報の再生又は記録を行う。前記光ピックアップは前記ターンテーブルに接近離間するように配置されている。前記光ピックアップの移動方向は前記光ディスクの径方向である。
【０００３】
従来の光ピックアップの概略について図面を参照して説明する。図６は従来の光ピックアップの一例の概略平面図であり、図７は図６に示す光ピックアップの概略側面図である。図６に示すように、光ピックアップ９１は、ピックアップベース９２と、ピックアップベース９２上に搭載された対物レンズアクチュエータ９３と、光ディスクＤｓで反射された光を受光し、電気信号に変換する受光部９１２と、ピックアップベース９２上に搭載された配線基板９１１とを有している。
【０００４】
光ピックアップ９１は平行に配置された主軸Ｍｓ、副軸Ｓｓにガイドされ、主軸Ｍｓ及び副軸Ｓｓに沿って摺動する。ピックアップベース９２には、主軸Ｍｓに外嵌する軸受け部９２１と、副軸Ｓｓに係合する係合部９２２とが備えられている。軸受け部９２１には主軸Ｍｓが遊びの少ない（隙間がほとんどない）状態で嵌入されている。一方、係合部９２２は凹形状を有し、副軸Ｓｓが遊びの多い（隙間がある）状態で係合されている。係合部９２２と副軸Ｓｓとの間に隙間があることで、光ピックアップ９１と副軸Ｓｓとの取り付けが容易である。さらに、係合部９２２と副軸Ｓｓとの間に隙間があることで、光ピックアップ９１の製造時或いは組立時に発生する誤差（ずれ）も許容できる。
【０００５】
図７に示すように、主軸Ｍｓ及び副軸Ｓｓの下方に光ピックアップ９１の本体が懸垂している状態で使用するとき、光ピックアップ９１は重力により下方に引っ張られ、係合部９２２が副軸Ｓｓに押し当てられている。このとき、係合部９２２は副軸Ｓｓと同じ位置で接触するので、光ピックアップ９１は安定した姿勢で、主軸Ｍｓ及び副軸Ｓｓに沿って摺動可能である。
【０００６】
しかしながら、光ピックアップ９１は振動や衝撃が加わったとき、係合部９２２と副軸Ｓｓとの隙間の分がたついてしまう。光ピックアップ９１が光ディスクに対して情報の再生又は記録を行っているときに、このがたつきが発生すると、光ディスクに対する光の照射位置がずれ、再生又は記録の精度が低下してしまうことがある。
【０００７】
そこで、図６、７に示すように、ピックアップベース９２に弾性部材９５を取り付け、その弾性力で副軸Ｓｓを押すことで、係合部９２２を副軸Ｓｓに押し付ける方法が採用されている。このように、弾性部材９５を取り付けることで光ピックアップ９１の弾性部材９５が取り付けられている部分は、副軸Ｓｓから離れる方向に付勢されている。係合部９２２は副軸Ｓｓを挟む凹部を備えており、この付勢力によって、副軸Ｓｓの弾性部材９５と反対側は係合部９２２に押し当てられる。これにより、光ピックアップ９１は振動及び衝撃が加わっても姿勢を崩しにくく、光ディスクに対する情報の記録又は再生を精度よく行うことが可能である。
【０００８】
また、図６、７に示すように、光ピックアップ９１には基板９１１が取り付けられている。基板９１１と受光部９１２とはフレキシブルフラットケーブル（ＦＦＣ）９１３で接続されている。受光部９１２で変換された電気信号はＦＦＣ９１３を介して基板９１１に送られる。ＦＦＣ９１３はピックアップベース９２の光ディスク側に配置されており、ＦＦＣ９１３は押え部材９６でピックアップベース９２に押さえつけられている。ＦＦＣ９１３は押え部材９６で押えられ、弾性力で浮き上がり、主軸Ｍｓ及び副軸Ｓｓ側に配置される光ディスクＤｓとの接触や、光ディスクＤｓを搬送するローディング装置との接触が抑制されている。なお、以上に示した弾性部材９５及び押え部材９６は、ねじ止め、ボスの溶着等の従来よく知られた方法でそれぞれ固定されている。
【０００９】
一般的な光ピックアップでは、弾性部材９５と押え部材９６とは近接して配置されていることが多い。弾性部材９５及び押え部材９６は板金をきり曲げることで形成される部材であり、この２つの部材を一体化した押圧部材も提案されている。押圧部材について図面を参照して説明する。図８は従来の光ピックアップに用いられている押圧部材の斜視図である。図８に示すように、押圧部材９４は、ＦＦＣ９１３を押える押え部９４１と、副軸Ｓｓを押すばね部９４２とを備えている。ばね部９４２の端部にねじ止め用のねじ孔が形成されており、ピックアップベース９２にねじ止めでピックアップベース９２に固定されている。
【００１０】
この押圧部材９４を用いることで、１つの固定部で２つの部材を取り付けることができ、取付の手間及び時間を省くことができる。また、固定部を減らすことができるので軽量化も可能である。なお、ねじ孔がばね部９４２の端部に形成されているのは、ねじ止め時にねじや工具がばね部９４２や押え部９４１に接触し、変形するのを抑制するためである。
【先行技術文献】
【特許文献】
【００１１】
【特許文献１】特開２００２−１１７６３４号公報
【特許文献２】特開２０００−１８２３３８号公報
【発明の概要】
【発明が解決しようとする課題】
【００１２】
押え部９４１はＦＦＣ９１３の弾性力によって、ピックアップベース９２から離れる方向に力が付勢されており、ＦＦＣ９１３の弾性力が押え部９４１に作用することで、押圧部材９４の全体が変形し、ばね部９４２の副軸Ｓｓを押す力が弱くなる場合がある。
【００１３】
ばね部９４２の副軸Ｓｓを押す力が弱くなると、光ピックアップ９１を縦型配置の光ディスク装置に採用したときに、係合部９２２と副軸Ｓｓとのがたつきにより、情報の再生及び（又は）記録が正確に行われない場合がある。また、自重によって係合部９２２が副軸Ｓｓに押し付けられる構成の光ピックアップ９１においても、小さな振動や衝撃で光ピックアップ９１が係合部９２２と副軸Ｓｓとのがたつきが発生し、情報の再生及び（又は）記録が正確に行われない場合がある。
【００１４】
そこで本発明は、２本の平行に配置されたガイド軸に沿って摺動する光ピックアップであって、基板に取り付けられる平型ケーブルの浮き上がりを押えると共に、衝撃、振動等によって発生する前記ガイド軸に対するずれを抑制できる光ピックアップを提供することを目的とする。
【課題を解決するための手段】
【００１５】
上記目的を達成するために本発明は、平行に配置された主軸及び副軸に摺動可能に支持された光ピックアップであって、ピックアップベースと、前記ピックアップベースの表面に形成され前記主軸と外嵌する軸受け部と反対側に開放した凹部を有し前記副軸と係合した係合部と、前記ピックアップベースの表面に配置された平型配線とを備えた光ピックアップにおいて、前記平型配線を前記ピックアップベースに押さえつける板状の押え部と、弾性力で前記副軸を押すばね部と、前記押え部及び前記ばね部とを連結する保持部とを有する押圧部材を備えており、前記保持部の前記押え部と連結する部分には、前記ばね部との間にスリットが形成されていることを特徴とする。
【００１６】
この構成によると、前記スリットによって、前記平型配線の弾性力によって前記押え部が押し返されたときに前記押え部に作用する応力やモーメントが前記ばね部に作用するのを抑制することが可能である。これにより、前記ばね部が前記押え部から伝達される応力やモーメントで変形するのを抑制することが可能である。
【００１７】
このことから、前記押圧部材は、前記押え部が前記平型配線をしっかり押えることができると共に、前記ばね部が前記副軸をしっかり押スことができる。これにより、光ピックアップは前記主軸及び前記副軸にがたつきの少ない状態で支持されると共に軸に沿って摺動するので、光ディスクに対して精度良く情報の記録又は再生のための光を照射することが可能である。
【００１８】
上記構成において、前記スリットは前記保持部の前記押え部と連結する部分が前記ばね部と連結する部分に重ならないように形成されていてもよい。
【００１９】
上記構成において、前記押え部は前記保持部と前記保持部の長手方向一方の端部に寄せた部分で連結されており、前記ばね部は前記保持部と前記保持部の長手方向他方の端部に寄せた部分で連結されているものを挙げることができる。
【００２０】
上記構成において、前記保持部は長方形状の平板部と、前記平板部と長辺で連結され前記平板部と交差する立設部とを備えており、前記押え部は前記平板部と、前記ばね部は前記立設部とそれぞれ連結されていてもよい。この構成によると、前記保持部自体もねじり、曲げ等の変形に対して強い形状となっており、それだけ、前記ばね部が他の部分からの力で変形し、前記副軸を十分な力で押せなくなるのを抑制することが可能である。
【００２１】
上記構成において、前記ピックアップベースは、前記平型配線が配置される面より突出した掛止部を備え、前記掛止部には側部に凹部が形成されており、前記押え部の辺縁部は、前記掛止部の凹部に引掛けることができる引掛け部を備えていてもよい。この構成によると、前記引掛け部と前記掛止部とを引掛けているので、前記押え部が前記平型配線に押されても、その力を前記引掛け部で受け止めることができ、それだけ、前記ばね部に応力やモーメントが伝達されにくい。これにより、前記ばね部は変形しにくく、前記副軸を十分な力で押すことができ、光ピックアップががたつくのを抑制することができる。
【発明の効果】
【００２２】
本発明によると、２本の平行に配置されたガイド軸に沿って摺動する光ピックアップであって、基板に取り付けられる平型ケーブルの浮き上がりを押えると共に、衝撃、振動等によって発生する前記ガイド軸に対するずれを抑制できる光ピックアップを提供することができる。
【図面の簡単な説明】
【００２３】
【図１】本発明にかかる光ピックアップの構成を示す概略平面図である。
【図２】図１に示す光ピックアップの概略側面図である。
【図３】本発明にかかる押圧部材の斜視図である。
【図４】発明にかかる光ピックアップの係合部を副軸の軸方向に見た拡大図である。
【図５】図４に示す光ピックアップの反対側から見た拡大図である。
【図６】従来の光ピックアップの一例の概略平面図である。
【図７】図６に示す光ピックアップの概略側面図である。
【図８】従来の光ピックアップに用いられている押圧部材の斜視図である。
【発明を実施するための形態】
【００２４】
以下に本発明の実施形態を図面を参照して説明する。図１は本発明にかかる光ピックアップの構成を示す概略平面図であり、図２は図１に示す光ピックアップの概略側面図であり、図３は本発明にかかる押圧部材の斜視図であり、図４は本発明にかかる光ピックアップの係合部を副軸の軸方向に見た拡大図であり、図５は図４に示す光ピックアップの反対側から見た拡大図である。
【００２５】
図１、図２に示すように、本発明の光ピックアップ１は、光ディスクＤｓにレーザ光を照射し情報の記録又は再生を行う装置である。光ピックアップ１は、ピックアップベース２と、ピックアップベース２上部（光ディスクと対向する方、以下同じ）に搭載される対物レンズアクチュエータ３とを備えている。
【００２６】
光ピックアップ１は、図示を省略したベース上に取り付けられ、ラジアル（Ｒａ）方向（光ディスクＤｓの径方向）に延びる、主軸Ｍｓ及び副軸Ｓｓにガイドされて摺動する。なお、主軸Ｍｓと副軸Ｓｓは平行に配置されている。
【００２７】
光ピックアップ１は、光ディスクＤｓにレーザ光を照射する装置である。ピックアップベース２には、光ディスクＤｓにレーザ光を集光する対物レンズ１１と、レーザ光を受光し、電気信号に変換する受光部である受光素子１２とを備えたレーザ光学系が搭載されている。なお、光ピックアップ１に搭載されたレーザ光学系は対物レンズ１１、受光素子１２以外にも、レーザ光源、偏光ビームスプリッタ、コリメートレンズ、１／４波長板等（いずれも不図示）の光学素子も備えている。
【００２８】
対物レンズ１１は、レンズアクチュエータ３によって、フォーカス方向（光ディスクＤｓに接近離間する方向）及びトラッキング方向（光ディスクＤｓのラジアル方向）に移動される。対物レンズ１１はフォーカス方向、トラッキング方向に移動されることで、レーザ光を光ディスクＤｓのトラックに精度よく集光させている。
【００２９】
受光素子１２は、光ディスクＤｓで反射された光（戻り光）が入力され、その戻り光を電気信号へと変換する。受光素子１２として、光電センサ等の半導体素子を用いたものを挙げることができるが、これに限定されるものではなく、受信した光を電気信号に変換できるものを広く採用することができる。受光素子１２と基板１０とは、平型ケーブル（ここでは、フレキシブルフラットケーブル：ＦＦＣ）１３で接続されている。受光素子１２で変換された電気信号は、ＦＦＣ１３を介して基板１０に送られる。電気信号は例えば、光ディスクＤｓより再生された情報を含む再生信号及び（又は）レンズアクチュエータ３を駆動するためのフォーカス信号及びトラッキング信号として用いられる。
【００３０】
図４、図５に示すように、ピックアップベース２は樹脂で一体的に形成されており、上部に軸受け部２１と、係合部２２と、掛止部２３とを備えている。また、ピックアップベース２の上部には、プリント基板２４が固定されている。軸受け部２１は貫通孔を備えており、主軸Ｍｓはがたつきがないよう軸受け部２１の貫通孔を貫通している。なお、軸受け部２１は主軸Ｍｓに固定されているわけではなく、主軸Ｍｓに沿って摺動可能である。
【００３１】
また、係合部２２は、軸受け部２１と反対側に開口を備えた凹形状を有している。係合部２２は副軸Ｓｓをピックアップベース２側及びその反対側（光ディスク側）から囲むように形成されている。係合部２２と副軸Ｓｓとの間には、光ディスクＤｓに接近離間する方向に隙間が形成されている。すなわち、係合部２２は副軸Ｓｓの軸方向に摺動可能であるとともに、隙間の分、光ディスクＤｓに接近離間する方向に揺動可能となっている。
【００３２】
掛止部２３は係合部２２の下方（ピックアップベース２側）に形成されている。掛止部２３は係合部２２と同じ方向に開口を有する凹部２３１を備えており、後述する押圧部材４の引掛け部４１３が掛止される。なお、係合部２２の位置は係合部２２の下方側に形成されているが、引掛け部４１３を容易に外れないように引掛けることができる位置であればよく、特に限定されるものではない。
【００３３】
軸受け部２１が主軸Ｍｓに外嵌するとともに、係合部２２が副軸Ｓｓに係合することで、光ピックアップ１はラジアル（Ｒａ）方向に摺動可能に支持されている。なお、光ピックアップ１のラジアル（Ｒａ）方向の駆動は、図示を省略した公知の駆動機構で駆動される。公知の駆動機構の一例として、ピックアップベース２に備えられたラック片と、ベースにピックアップベース２とは独立して取り付けられたモータによって回転されるリードスクリューとを用いる構成等を挙げることができる。
【００３４】
ピックアップベース２には、ＦＦＣ１３をピックアップベース２に押し付けるとともに、副軸Ｓｓを押す押圧部材４が取り付けられている。押圧部材４について、図面を参照して詳しく説明する。図３に示すように、押圧部材４は、ＦＦＣ１３をピックアップベース２に押える押え部４１と、副軸Ｓｓを弾性的に押すばね部４２とを備えている。また、図３に示すように、押え部４１とばね部４２とは断面形状がＬ型の保持部４０を介して連結されている。
【００３５】
押圧部材４は金属板をきり曲げて形成された部材である。ここで、押圧部材４を構成する金属板として、鉄、アルミ、アルミ合金、ステンレス、リン青銅等の金属板を挙げることができるが、これらに限定されるものではなく、押圧部材４として成形された後もばね性（弾性）を有する材料を広く採用することができる。
【００３６】
保持部４０は、平板を折り曲げて形成し、断面Ｌ字形状である。保持部４０は押圧部材４がピックアップベース２に取り付けられたとき、ピックアップベース２の上部に沿って配置される長方形状の平板部４０１と、平板部４０１の長辺のうち一方を折り曲げた立設部４０２とを備えている。図示しているように、平板部４０１及び立設部４０２は、互いの長辺で他方と接続している。
【００３７】
押え部４１は、平面視正方形状である。押え部４１は平板部４０１の長辺のうち、立設部４０２が接続していない側の長辺と一体に形成されている。また、押え部４１は平板部４０１の長手方向の一方の端部に寄せて形成されている。
【００３８】
また、押え部４１の中央にはＦＦＣ１３をしっかり押圧するため、押し出し成形された押圧部４１１が備えられている。押圧部４１１を備えていることで、押え部４１の厚みが大きくなり、ＦＦＣ１３を押える力を大きくすることが可能である。なお、押え部４１において、押圧部４１１を形成することで断面形状により押え部４１は曲がりにくくなる効果もあり、それだけ、ＦＦＣ１３を安定して押し付けることができる。また、押え部４１がＦＦＣ１３を抑える力が十分である場合、押圧部４１１が形成されていなくてもよい。
【００３９】
また、本実施例では押圧部４１１として、正方形状のものを挙げているが、それには限定されず、長方形状、三角形状等の多角形状や、円形状、或いは、複数の畝状の押し出し部を有するものであってもよい。また、押し出し形成に限定されるものではなく、押圧部４１１を別途取り付ける構成となっていてもよい。すなわち、ＦＦＣ１３を押えるときに、押え部４１の曲げ方向の変形を抑制し、押え部４１に厚みを持たせ、ＦＦＣ１３を押える応力を高めることができるものを広く採用することが可能である。
【００４０】
図示しているように、押え部４１には平板部４０１と直交する辺が２辺ある。その直交する辺のうち保持部４０の中央側の辺には、押圧部４１１と同じ方向（ピックアップベース２側）に突出した係止部４１２が形成されている。この係止部４１２は押え部４１の一辺を折り曲げることで、形成される。
【００４１】
係止部４１２は、先端を押え部４１と反対側に折り曲げられた引掛け部４１３を備えている。引掛け部４１３は長方形状であり、ピックアップベース２に形成されている凹部２３１に掛止することができる形状（長辺及び短辺の長さ）を有している。
【００４２】
ばね部４２は、ピックアップベース２に接触配置される長方形状のベース部４２１と、ベース部４２１の長手方向端部と連続して形成された湾曲部４２０を介して連結され副軸Ｓｓを押す軸押し部４２２と、ベース部４２１の湾曲部４２０と反対側の端部に形成されピックアップベース２に固定される固定部４２３とを備えている。図３において、固定部４２３はベース部４２１を折り曲げて形成しているが、それに限定されるものではない。
【００４３】
ばね部４２のベース部４２１と保持部４０の立設部４０２とが一体的に連結されている。押圧部材４において、保持部４０は、押え部４１と連結する部分と、ばね部４２と連結する部分とが長手方向に重ならないように形成されている。図３に示す例では、保持部４０の押え部４１と連結している部分に形成されている立設部４０２とばね部４２のベース部４２１との間にスリット４３が形成されている。
【００４４】
このようにスリット４３が、押え部４１に作用するねじれ或いは曲げの力（モーメント）のばね部４２への伝達を抑制している。また、その逆に、ばね部４２に作用する力（モーメント）の押え部４１への伝達も抑制できる。
【００４５】
本願発明にかかるピックアップベースについて図面を参照して詳しく説明する。まず、押圧部材４のピックアップベース２への取り付けについて説明する。押圧部材４は光ピックアップ１が主軸Ｍｓ、副軸Ｓｓには取り付けられていない状態で取り付けられる。図４、図５に示しているとおり、押え部４１の引掛け部４１３を凹部２３１に引掛けるとともに、ばね部４２のベース部４２１をピックアップベース２の予め決められた位置に来るように押圧部材４をピックアップベース２上に配置する。
【００４６】
ピックアップベース２に押圧部材４を配置すると、固定部４２３がピックアップベース２に形成されている取付部２５に配置される。この状態で、ねじＳｃが固定部４２３を貫通し取付部２５のねじ穴に螺合される。これにより、固定部４２３が取付部２５に固定され、押圧部材４がピックアップベース２に固定される。
【００４７】
押圧部材４がピックアップベース２に取り付けられると、押圧部４１１が受光素子１２と基板１０とを接続しているＦＦＣ１３をピックアップベース２に押し付ける。これにより、ＦＦＣ１３がピックアップベース２から持ち上がるのを抑制している。
【００４８】
押圧部材４をピックアップベース２に取り付けたとき、ばね部４２の軸押し部４２２及び湾曲部４２０は変形していない。押圧部材４がピックアップベース２に取り付けられている状態で、光ピックアップ１はベース（不図示）に取り付けられる。このとき、副軸Ｓｓは予めベースに取り付けられている。また、主軸Ｍｓは光ピックアップ１と共にベースに取り付けられており、光ピックアップ１は主軸Ｍｓとともにベースに取り付けられる。
【００４９】
つまり、主軸Ｍｓが軸受け部２１を貫通した状態の光ピックアップ１は、係合部２２を副軸Ｓｓに係合させるとともに、主軸Ｍｓをベースに取り付けることでベースに取り付けられる。係合部２２と副軸Ｓｓとの間には隙間が形成されているので、係合部２２を副軸Ｓｓに係合しても、その隙間によって光ピックアップ１及び主軸Ｍｓは移動（調整）が可能である。
【００５０】
この状態で、主軸Ｍｓがベースの予め決められた位置となるように光ピックアップ１を移動させ、主軸Ｍｓをベースの取付部に取り付けることで光ピックアップ１はベースに取り付けられる。
【００５１】
係合部２２が副軸Ｓｓに係合し、主軸Ｍｓが予め決められている位置に取り付けられたとき、ばね部４２の軸押し部４２２は副軸Ｓｓと接触する。このとき、ばね部４２は軸押し部４２２がベース部４２１に接近するように変形している。なお、ばね部４２において、湾曲部４２０及び（又は）軸押し部４２２が弾性変形している。
【００５２】
係合部２２が副軸Ｓｓに係合したとき、湾曲部４２０及び（又は）軸押し部４２２は弾性変形している。この弾性力は軸押し部４２２を副軸Ｓｓに押し付ける力であり、副軸Ｓｓは軸押し部４２２によって光ディスク方向、つまり、図中上方に押される。
【００５３】
図４、図５に示すように、係合部２２は副軸Ｓｓのピックアップベース２側及びその反対側（光ディスク側）から囲むように形成されている。ピックアップベース２に取り付けられたばね部４２が副軸Ｓｓをピックアップベース２から離れる方向に押すことで、副軸Ｓｓは係合部２２のピックアップベース２と反対側の部分に押し当てられる。副軸Ｓｓはベースに取り付けられているので移動しないので、軸押し部４２２が副軸Ｓｓを押すことで、係合部２２のピックアップベース２と反対側の部分が副軸Ｓｓに押し当られる。
【００５４】
以上の手順で取り付けられた光ピックアップ１において、主軸Ｍｓはがたつかないように軸受け部２１を貫通しているので、軸受け部２１が主軸Ｍｓからずれることはない。また、係合部２２はピックアップベース２から離れている部分が副軸Ｓｓに押し当てられて係合している。これにより、ばね部４２の弾性力を超える力が光ピックアップ１に作用しない限り、係合部２２は副軸Ｓｓからずれない。このようにして、光ピックアップ１は主軸Ｍｓ及び副軸Ｓｓに対して、一定の姿勢（角度、距離）を維持した状態で主軸Ｍｓ及び副軸Ｓｓに沿って摺動する。
【００５５】
図４、図５に示すように、光ピックアップ１において、ＦＦＣ１３は押え部４１によってピックアップベース２に押し付けられている。ＦＦＣ１３の持ち上がろうとする力が押え部４１を変形させるくらい大きい場合がある。この場合であっても、押え部４１の引掛け部４１３がピックアップベース２の掛止部２３に形成されている凹部２３１に引掛けられているので、押え部４１の変形及び応力を抑えることができる。
【００５６】
また、保持部４０の押え部４１と連結する部分の立設部４０２と、ベース部４２１との間には、スリット４３が形成されている。これにより、押え部４１がＦＦＣ１３に押されることで発生する応力がばね部４２に伝達されるのを抑制することが可能である。このように、押え部４１からの応力の伝達が抑制されることで、ばね部４２（特にベース部４２１）が変形し、軸押し部４２２の副軸Ｓｓを押す力が小さくなるのを抑制することができる。
【００５７】
以上のように、押え部４１に係止部４１２及び引掛け部４１３を備えることで、ＦＦＣ１３の押上げ力による押え部４１の変形を抑制し、スリット４３で押え部４１の変形による応力（モーメント）がばね部４２に伝達されるのを抑制することができる。これにより、本発明にかかる光ピックアップ１は搭載される光ディスク装置の姿勢に関わらず（例えば、光ディスクをたてに挿入する装置等に用いる場合）、安定して光ディスクの正しい位置にレーザ光を照射することが可能である。これにより、光ディスクに対して情報の記録／再生を安定して行うことが可能である。
【産業上の利用可能性】
【００５８】
本発明は、主軸及び副軸で移動をガイドするとともに、光ディスクのローダー側に平型配線が配置される光ピックアップに採用することが可能である。
【符号の説明】
【００５９】
１  光ピックアップ
１１  対物レンズ
１２  受光素子
１３  ＦＦＣ（フレキシブルフラットケーブル）
２  ピックアップベース
２１  軸受け部
２２  係合部
２３  掛止部
２３１  凹部
３  対物レンズアクチュエータ
４  押圧部材
４０  保持部
４０１  平板部
４０２  立設部
４１  押え部
４１１  押圧部
４１２  係合部
４１３  引掛け部
４２  ばね部
４２０  湾曲部
４２１  ベース部
４２２  軸押し部
４３  スリット
Ｍｓ  主軸
Ｓｓ  副軸
【図１】
2011233184.tif 000003
【図２】
2011233184.tif 000004
【図３】
2011233184.tif 000005
【図４】
2011233184.tif 000006
【図５】
2011233184.tif 000007
【図６】
2011233184.tif 000008
【図７】
2011233184.tif 000009
【図８】
2011233184.tif 000010